(57)【要約】【課題】加熱調理器に備えられる換気装置との連動用の構成を利用して、極力簡素な構造によって、加熱調理器とは異なる別の加熱調理器の運転状態に対応して連動して換気を行うことが可能となる加熱調理器における換気連動装置を提供する。【解決手段】加熱調理器Ａに換気装置Ｄに対して指令するための通信手段が備えられ、別の加熱調理器Ｂの運転に伴って排出される調理排気の温度を検出する温度検出手段３０の検出情報に基づいて換気が必要な状態であるか否かを判別して、加熱手段１，２の作動状態に基づいて換気が必要な状態であると判別すること及び温度検出手段３０の検出情報に基づいて換気が必要な状態であると判別することのうちの少なくともいずれかの判別を行うと換気運転の実行を、且つ、加熱手段１，２の作動状態に基づいて換気が必要でないと判別すること及び温度検出手段３０の検出情報に基づいて換気が必要でないと判別することの両者の判別を行うと換気運転の停止を、通信手段にて換気装置Ｄに指令する。【選択図】図２
2008128495.tif 000002
【特許請求の範囲】
【請求項１】
被加熱物を加熱する加熱手段、及び、その加熱手段の作動状態を制御する制御手段を備えた加熱調理器に、その加熱調理器にて発生する調理排気を外部に排出して換気を行う換気装置に対して換気運転の実行及び停止を指令するための通信手段が備えられ、
前記制御手段が、前記加熱手段の作動状態に基づいて換気が必要な状態であるか否かを判別して、換気が必要な状態であると判別すると換気運転の実行を、且つ、換気が必要でないと判別すると換気運転の停止を、前記通信手段にて前記換気装置に指令するように構成されている加熱調理器における換気連動装置であって、
前記加熱調理器とは異なる別の加熱調理器の運転に伴って排出される調理排気の温度を検出する温度検出手段が、その検出情報を前記制御手段に出力するように設けられ、
前記制御手段が、
前記温度検出手段の検出情報に基づいて、換気が必要な状態であるか否かを判別して、前記加熱手段の作動状態に基づいて換気が必要な状態であると判別すること及び前記温度検出手段の検出情報に基づいて換気が必要な状態であると判別することのうちの少なくともいずれかの判別を行うと換気運転の実行を、且つ、前記加熱手段の作動状態に基づいて換気が必要でないと判別すること及び前記温度検出手段の検出情報に基づいて換気が必要でないと判別することの両者の判別を行うと換気運転の停止を、前記通信手段にて前記換気装置に指令するように構成されている加熱調理器における換気連動装置。
【請求項２】
前記加熱調理器がキッチンカウンターに埋め込み装着されるビルトイン形式のコンロにて構成され、前記別の加熱調理器が前記ビルトイン形式のコンロの下方に設置されるビルトイン形式のオーブンにて構成され、
前記オーブンにおける調理排気排出用のオーブン排気口が前記コンロの天板に形成した排気用開口部に臨ませる状態で設けられ、
前記温度検出手段が、前記オーブン排気口から排出される調理排気の温度を検出するように設けられている請求項１記載の加熱調理器における換気連動装置。
【請求項３】
前記制御手段が、
前記温度検出手段にて検出される調理排気の温度が運転開始用判定温度を超えた状態においてその調理排気の温度の上昇が上昇用判定時間以上継続すると、前記別の加熱調理器の運転に伴って換気が必要な状態であると判別し、且つ、前記温度検出手段にて検出される調理排気の温度が下降用判定時間以上継続して下降したときから換気継続用設定時間が経過する、又は、前記調理排気の温度が運転停止用判定温度よりも低い温度になっている状態が運転停止用判定時間以上継続すると、換気が必要でないと判別するように構成されている請求項１又は２記載の加熱調理器における換気連動装置。
【請求項４】
前記温度検出手段の検出情報に基づいて換気が必要な状態であると判別したときにおける換気風量の大きさを指令する風量指令手段が、前記加熱調理器に備えられ、
前記制御手段が、
前記加熱手段の作動状態に基づいて換気が必要でないと判別し且つ前記温度検出手段の検出情報に基づいて換気が必要であると判別したときにおける換気風量の大きさを、前記風量指令手段にて指令される指令情報に基づいて設定して、その設定した換気風量の大きさを前記通信手段にて前記換気装置に指令するように構成されている請求項１〜３のいずれか１項に記載の加熱調理器における換気連動装置。
【請求項５】
前記加熱調理器が、前記加熱手段を複数備えて構成され、
前記制御手段が、
複数の前記加熱手段の作動状態に基づいて換気が必要であると判別し且つ前記温度検出手段の検出情報に基づいて換気が必要でないと判別したときにおける換気風量の大きさを、複数の前記加熱手段の夫々の加熱作動の状態に基づいて設定して、その設定した換気風量の大きさを前記通信手段にて前記換気装置に指令するように構成されている請求項１〜４のいずれか１項に記載の加熱調理器における換気連動装置。
【発明の詳細な説明】
【技術分野】
【０００１】
本発明は、被加熱物を加熱する加熱手段、及び、その加熱手段の作動状態を制御する制御手段を備えた加熱調理器に、その加熱調理器にて発生する調理排気を外部に排出して換気を行う換気装置に対して換気運転の実行及び停止を指令するための通信手段が備えられ、前記制御手段が、前記加熱手段の作動状態に基づいて換気が必要な状態であるか否かを判別して、換気が必要な状態であると判別すると換気運転の実行を、且つ、換気が必要でないと判別すると換気運転の停止を、前記通信手段にて前記換気装置に指令するように構成されている加熱調理器における換気連動装置に関する。
【背景技術】
【０００２】
上記加熱調理器における換気連動装置において、従来では、前記加熱調理器として、台所のキッチンカウンターに埋め込み装着されるビルトイン形式のガスコンロが設けられ、そのガスコンロの上方に換気装置が設けられる構成のものにおいて、前記通信手段として、前記加熱手段としてのバーナの作動状態を制御する制御手段と前記換気装置とを電気的に接続する接続線が設けられ、前記制御手段が、ガスコンロにてバーナに点火を指令するための操作具の点火操作が行われると、その点火操作に基づいて換気が必要な状態であると判別して、前記接続線を介して換気装置に対して換気運転の実行を指令し、操作具の消火操作が行われると、その消火操作に基づいて換気が必要でないと判別して、前記接続線を介して換気装置に対して換気運転の停止を指令するように構成されたものがあった（例えば、特許文献１参照。）。
【０００３】
つまり、加熱調理器としてのガスコンロにおいて、バーナに対する点火操作が行われると、それに連動して換気装置の換気運転を自動的に開始させ、バーナに対する消火操作が行われると、それに連動して換気装置の換気運転を自動的に停止させることができるものであり、換気装置の運転の開始及び停止を別途指令する手間を掛けることなく、バーナの燃焼排ガスや被加熱物から発生する煙や臭気等の調理排気を外部に排出させることができるようにしたものである。
【０００４】
【特許文献１】特開２００１―２４８８６７号公報
【発明の開示】
【発明が解決しようとする課題】
【０００５】
ガスコンロ等の加熱調理器は台所に備えられることになるが、台所には、ガスコンロ等の加熱調理器以外にも、例えばガスオーブン等の別の加熱調理器が備えられることがあるが、このようなガスオーブン等の別の加熱調理器においてもガスコンロ等の加熱調理器と同様に、燃焼排ガスや被加熱物から発生する煙や臭気等の調理排気が排出されるものであるが、上記従来構成では、別の加熱調理器の運転に連動して換気装置を作動させることができないものであった。
【０００６】
そこで、ガスオーブン等の別の加熱調理器を設置する場合において、その別の加熱調理器の運転に連動して換気装置を作動させる構成とするために、その別の加熱調理器に備えられる制御手段を、その別の加熱調理器の運転状態に応じて換気が必要な状態であるか否かを判別するための制御構成を備えるようにして、その判別した結果に基づいて、換気が必要な状態であると判別すると換気運転の実行を、且つ、換気が必要でないと判別すると換気運転の停止を、換気装置に指令するための通信手段を、その別の加熱調理器に別途備えることが考えられる。
しかしながら、この場合、別の加熱調理器に、その運転に連動して換気装置を作動させるための装置が必要となり、別の加熱調理器の部品点数が多くなって構造が複雑になりコスト高を招く不利がある。
【０００７】
ちなみに、このような構造の複雑化を回避するために、別の加熱調理器に備えられる制御手段を、運転開始や停止を指令するための操作スイッチ等の操作の入り切り状態に応じて、換気が必要な状態であるか否かを判別する構成として、その判別結果を連係用の電気配線を介して前記加熱調理器の制御手段に入力するようにして、加熱調理器に備えられる通信手段の構成を有効利用して、別の加熱調理器の運転状態に対応させて換気装置を連動して作動させる構成にすることも考えられるが、このような構成においても、別の加熱調理器としては、その別の加熱調理器に備えられる制御手段において、換気が必要な状態であるか否かを判別するための制御構成を備える必要があり、連係用の電気配線やそれを接続するための専用の端子等を備える必要があり、構造が複雑となりコスト高を招く不利がある。
【０００８】
本発明の目的は、加熱調理器とは異なる別の加熱調理器が換気装置を連動して作動させるための装置を備えていない場合であっても、構造の複雑化を招くことなく、前記別の加熱調理器の運転に連動して換気を行うことが可能となる加熱調理器における換気連動装置を提供する点にある。
【課題を解決するための手段】
【０００９】
本発明に係る加熱調理器における換気連動装置は、被加熱物を加熱する加熱手段、及び、その加熱手段の作動状態を制御する制御手段を備えた加熱調理器に、その加熱調理器にて発生する調理排気を外部に排出して換気を行う換気装置に対して換気運転の実行及び停止を指令するための通信手段が備えられ、前記制御手段が、前記加熱手段の作動状態に基づいて換気が必要な状態であるか否かを判別して、換気が必要な状態であると判別すると換気運転の実行を、且つ、換気が必要でないと判別すると換気運転の停止を、前記通信手段にて前記換気装置に指令するように構成されているものであって、その第１特徴構成は、前記加熱調理器とは異なる別の加熱調理器の運転に伴って排出される調理排気の温度を検出する温度検出手段が、その検出情報を前記制御手段に出力するように設けられ、前記制御手段が、前記温度検出手段の検出情報に基づいて、換気が必要な状態であるか否かを判別して、前記加熱手段の作動状態に基づいて換気が必要な状態であると判別すること及び前記温度検出手段の検出情報に基づいて換気が必要な状態であると判別することのうちの少なくともいずれかの判別を行うと換気運転の実行を、且つ、前記加熱手段の作動状態に基づいて換気が必要でないと判別すること及び前記温度検出手段の検出情報に基づいて換気が必要でないと判別することの両者の判別を行うと換気運転の停止を、前記通信手段にて前記換気装置に指令するように構成されている点にある。
【００１０】
第１特徴構成によれば、加熱調理器とは異なる別の加熱調理器の運転に伴って排出される調理排気の温度を検出する温度検出手段が設けられ、その検出情報が加熱調理器に備えられる制御手段に出力され、制御手段は、前記加熱手段の作動状態に基づいて換気が必要な状態であるか否かを判別することに加えて、前記温度検出手段の検出情報に基づいて、換気が必要な状態であるか否かを判別することになる。
【００１１】
そして、制御手段は、前記加熱手段の作動状態に基づいて換気が必要な状態であると判別すること及び前記温度検出手段の検出情報に基づいて換気が必要な状態であると判別することのうちの少なくともいずれかの判別を行うと換気運転の実行を前記通信手段にて前記換気装置に指令するのである。つまり、前記別の加熱調理器が運転していない状態で前記加熱調理器の加熱手段が加熱作動を行って換気が必要な状態であるときには、加熱調理器の運転に連動して換気を行うことができ、又、前記加熱調理器の加熱手段が加熱作動を行っていない状態で前記別の加熱調理器が運転しているときにも、その別の加熱調理器の運転に連動して換気を行うことができる。
【００１２】
前記制御手段は、前記加熱手段の作動状態に基づいて換気が必要でないと判別すること及び前記温度検出手段の検出情報に基づいて換気が必要でないと判別することの両者の判別を行うと、換気運転の停止を前記通信手段にて換気装置に指令するので、換気が不必要な場合には換気装置の換気運転を停止させることができる。
【００１３】
このように別の加熱調理器の運転に伴って排出される調理排気の温度の検出情報に基づいて、別の加熱調理器の運転に伴って換気が必要であるか否かを判別するようにしたので、別の加熱調理器には換気装置との連動運転を行うための特別な装置を設ける必要がなく、この別の加熱調理器の構成が複雑化することはない。
【００１４】
従って、加熱調理器とは異なる別の加熱調理器が換気装置を連動して作動させるための装置を備えていない場合であっても、構造の複雑化を招くことなく、前記別の加熱調理器の運転に連動して換気を行うことが可能となる加熱調理器における換気連動装置を提供できるに至った。
【００１５】
本発明の第２特徴構成は、第１特徴構成に加えて、前記加熱調理器がキッチンカウンターに埋め込み装着されるビルトイン形式のコンロにて構成され、前記別の加熱調理器が前記ビルトイン形式のコンロの下方に設置されるビルトイン形式のオーブンにて構成され、前記オーブンにおける調理排気排出用のオーブン排気口が前記コンロの天板に形成した排気用開口部に臨ませる状態で設けられ、前記温度検出手段が、前記オーブン排気口から排出される調理排気の温度を検出するように設けられている点にある。
【００１６】
第２特徴構成によれば、前記加熱調理器がキッチンカウンターに埋め込み装着されるビルトイン形式のコンロの下方側の空間を利用して、別の加熱調理器としてのビルトイン形のオーブンが設置される。そして、オーブンにおける調理排気排出用のオーブン排気口がコンロの天板に形成した排気用開口部に臨ませる状態で設けられ、前記温度検出手段が、オーブン排気口から排出される調理排気の温度を検出するように設けられることになる。
【００１７】
すなわち、第２特徴構成によれば、オーブン排気口がコンロにおける天板に形成した排気用開口部に臨むように設けられるので、温度検出手段をコンロに近付けた状態で配備することができ、接続用の配線が短くなる等、制御手段と温度検出手段との接続構成を簡素化することが可能となる。
【００１８】
本発明の第３特徴構成は、第１特徴構成又は第２特徴構成に加えて、前記制御手段が、前記温度検出手段にて検出される調理排気の温度が運転開始用判定温度を超えた状態においてその調理排気の温度の上昇が上昇用判定時間以上継続すると、前記別の加熱調理器の運転に伴って換気が必要な状態であると判別し、且つ、前記温度検出手段にて検出される調理排気の温度が下降用判定時間以上継続して下降したときから換気継続用設定時間が経過する、又は、前記調理排気の温度が運転停止用判定温度よりも低い温度になっている状態が運転停止用判定時間以上継続すると、換気が必要でないと判別するように構成されている点にある。
【００１９】
第３特徴構成によれば、前記制御手段は、前記温度検出手段にて検出される調理排気の温度が運転開始用判定温度を超えた状態においてその調理排気の温度の上昇が上昇用判定時間以上継続すると、別の加熱調理器の運転に伴って換気が必要な状態であると判別するのである。
【００２０】
例えば、調理排気の温度が運転開始用判定温度を超えると直ちに別の加熱調理器が運転を実行しているものとして換気が必要な状態であると判別するものでは、調理排気の排気出口付近における過渡的な空気のゆらぎ等による誤判別を起こすおそれがある。説明を加えると、例えばコンロ等の加熱調理器においては、加熱手段としてのバーナが加熱すると、調理排気が排出される出口付近において風が吹いていると、バーナによる加熱された高温の熱気が誤って温度検出手段の近くまで吹いてくることもあり、誤判別を起こすおそれがある。
【００２１】
そこで、運転開始用判定温度を超えた状態においてその調理排気の温度の上昇が上昇用判定時間以上継続すると換気が必要な状態であると判別するようにしたから、上記したような空気のゆらぎ等の起因した温度変化による誤判別のおそれを少なくして換気が必要な状態であるか否かを精度よく判別することができる。
【００２２】
又、前記制御手段は、前記温度検出手段にて検出される調理排気の温度が下降用判定時間以上継続して下降したときから換気継続用設定時間が経過する、又は、前記調理排気の温度が運転停止用判定温度よりも低い温度になっている状態が運転停止用判定時間以上継続すると、換気が必要でないと判別する。
【００２３】
すなわち、温度検出手段にて検出される調理排気の温度が下降用判定時間以上継続して下降したことにより別の加熱調理器が運転の実行を停止しているものと判別するが、そのときすぐに必要な状態でないと判別するのではなく、調理排気の温度が下降用判定時間以上継続して下降したときから換気継続用設定時間が経過したのに換気が必要な状態でないと判別するようにしているのである。
【００２４】
つまり、調理排気の温度の上昇を判別するときと同様に、過渡的な空気のゆらぎ等による一時的な調理排気の温度の低下による誤判別を起こすおそれのない状態で調理温度が下降していること、言い換えると、別の加熱調理器が運転の実行を停止していることを精度よく判別することができ、しかも、調理排気の温度が下降用判定時間以上継続して下降したときから換気継続用設定時間が経過したのちに換気が必要な状態でないと判別するようにしているので、別の加熱調理器が運転を実行している状態から運転の実行を停止したときに残存している調理排気を有効に外部に排出させることができる。
【００２５】
そして、温度検出手段にて検出される調理排気の温度が運転停止用判定温度よりも低い温度になっている状態が運転停止用判定時間以上継続すると、換気が必要でないと判別するようにしたので、例えば、別の加熱調理器が実際には運転を行っていないにもかかわらず、誤って、換気が必要な状態であると判別したような場合においては、実際の調理排気の温度は低い状態になっているので、その後、調理排気の温度が運転停止用判定温度よりも低い温度になっている状態が運転停止用判定時間以上継続することになるから、換気が必要な状態でないと判別することになって不必要な換気運転を長く継続する不利がない。
【００２６】
従って、第３特徴構成によれば、温度検出手段の検出情報に基づいて、換気が必要な状態であるか否かを誤判別のおそれの少ない状態で極力精度よく判別することが可能となる。
【００２７】
本発明の第４特徴構成は、第１特徴構成〜第３特徴構成のいずれかに加えて、前記温度検出手段の検出情報に基づいて換気が必要な状態であると判別したときにおける換気風量の大きさを指令する風量指令手段が、前記加熱調理器に備えられ、前記制御手段が、前記加熱手段の作動状態に基づいて換気が必要でないと判別し且つ前記温度検出手段の検出情報に基づいて換気が必要であると判別したときにおける換気風量の大きさを、前記風量指令手段にて指令される指令情報に基づいて設定して、その設定した換気風量の大きさを前記通信手段にて前記換気装置に指令するように構成されている点にある。
【００２８】
第４特徴構成によれば、前記加熱調理器に風量指令手段が備えられており、この風量指令手段により、温度検出手段の検出情報に基づいて換気が必要な状態であると判別したときにおける換気風量の大きさを指令することができる。そして、制御手段は、前記加熱手段の作動状態に基づいて換気が必要でないと判別し且つ前記温度検出手段の検出情報に基づいて換気が必要であると判別したときにおける換気風量の大きさを、前記風量指令手段にて指令される指令情報に基づいて設定して、その設定した換気風量の大きさを通信手段にて換気装置に指令するのである。
【００２９】
説明を加えると、前記別の加熱調理器の運転状態は調理排気の温度の検出情報に基づいて判別されるものであるから、例えば、その加熱調理器における加熱能力が異なっていても調理排気の温度の情報だけではそのような加熱能力の違い等は判別することはできないが、加熱能力の違い等に起因して調理排気の発生状態が異なり、必要とされる換気風量も異なることになる。
【００３０】
そこで、別の加熱調理器の加熱能力等の違いに応じて、必要とされる換気風量となるように、適切な換気風量の大きさを風量指令手段の情報に基づいて設定して、その設定した換気風量の大きさを通信手段にて換気装置に指令することにより、別の加熱調理器の運転に伴って適切な換気風量にて換気運転を行うことが可能となる。
【００３１】
従って、第４特徴構成によれば、別の加熱調理器の運転に連動して換気装置を運転させるときに、適切な換気風量にて換気運転を行うことが可能となる。
【００３２】
本発明の第５特徴構成は、第１特徴構成〜第４特徴構成のいずれかに加えて、前記加熱調理器が、前記加熱手段を複数備えて構成され、前記制御手段が、複数の前記加熱手段の作動状態に基づいて換気が必要であると判別し且つ前記温度検出手段の検出情報に基づいて換気が必要でないと判別したときにおける換気風量の大きさを、複数の前記加熱手段の夫々の加熱作動の状態に基づいて設定して、その設定した換気風量の大きさを前記通信手段にて前記換気装置に指令するように構成されている点にある。
【００３３】
第５特徴構成によれば、前記制御手段は、複数の加熱手段の作動状態に基づいて換気が必要であると判別し且つ温度検出手段の検出情報に基づいて換気が必要でないと判別したときにおける換気風量の大きさを、複数の加熱手段の夫々の加熱作動の状態に基づいて設定して、その設定した換気風量の大きさを通信手段にて換気装置に指令するのである。
【００３４】
すなわち、前記加熱調理器が前記加熱手段を複数備えており、各加熱手段を各別に加熱作動したり加熱停止させることができるので、使用状況に応じて加熱作動させる加熱手段の個数が変化することになるが、それに伴って発生する調理排気の量も異なることになる。そこで、複数の加熱手段の夫々の加熱作動の状態に基づいて、そのときに必要とされる換気風量を設定して、その設定した換気風量の大きさを通信手段にて換気装置に指令することにより、加熱調理器の運転に伴って適切な換気風量にて換気運転を行うことが可能となる。
【００３５】
従って、第５特徴構成によれば、加熱調理器の運転に連動して換気装置を運転させるときに、複数の加熱手段の作動状態に応じて適切な換気風量にて換気運転を行うことが可能となる。
【発明を実施するための最良の形態】
【００３６】
以下、本発明に係る加熱調理器における換気連動装置の実施形態を図面に基づいて説明する。
図１及び図２に示すように、台所におけるキッチンカウンターＫに埋め込まれる状態で加熱調理器の一例としてのビルトイン形式のガスコンロＡが設けられ、そのガスコンロＡの下方に位置する状態でビルトイン形式のガスオーブンＢが設けられている。そして、前記ガスコンロＡの上方側に位置するレンジフードＣには、ガスコンロＡにて発生する調理排気を外部に排出して換気を行う換気装置Ｄが設けられている。
【００３７】
図３に示すように、前記ガスコンロＡは、３つのコンロバーナ１及びグリルバーナ２を備えるグリル部３を備え且つ上部にガラス製の天板５を備えて構成されている。３つのコンロバーナ１は、天板５の機器横幅方向に分散配置される標準バーナ１ａと、小バーナ１ｂと、高火力バーナ１ｃとによって構成されている。又、グリル部３及びガスオーブンＢにて発生する後述するような調理排気を排気するための排気用開口部４が形成され、天板５の上部に、標準バーナ１ａ、小バーナ１ｂ及び高火力バーナ１ｃの夫々に対応して被加熱物を載置する五徳６が載置支持されている。３つのコンロバーナ１及びグリルバーナ２の夫々が複数の加熱手段に対応することになる。
【００３８】
図４に示すように、３つのコンロバーナ１及びグリルバーナ２の夫々に対して、点火するための点火プラグ７、バーナへの着火状態を検出する熱電対８、ガス供給量を変更調整するためのガス量調整弁９等が設けられている。又、３つのコンロバーナ１及びグリルバーナ２の夫々に対応して、点火並びに消火を指令するとともに、燃焼量すなわち加熱量の調節を指令する手動操作式の４個の入力操作部１０〜１３が夫々備えられている。そして、マイクロコンピュータを備えて各種の制御を実行するように構成されたコンロ制御部Ｈが、前記各入力操作部１０〜１３にて指令された指令情報に基づいて、３つのコンロバーナ１及びグリルバーナ２を制御するように構成されている。
【００３９】
前記各入力操作部１０〜１３は、夫々同じ構成であるから、そのうちの一つを代表して構成を以下に説明し、他のものについては説明を省略する。
図５に示すように、押し操作式の点消火スイッチ１４がガスコンロの前面パネル１５の内部に設けられ、前面パネル１５に形成した挿通孔を通して裏面側から挿通する状態で略円柱状の指令操作体１６が設けられている。指令操作体１６は、押し操作される毎に回転軸心方向に移動して、図示しない位置保持機構によって、前面パネル１５とほぼ面一になる押し込み位置と前方に突出する突出位置とに切り換え自在に構成され、指令操作体１６が前記突出位置に切り換えられているときに、正転方向及び逆転方向の夫々にその軸心周りで回動操作可能となるように構成されている。そして、この指令操作体１６が押し込み位置に切り換えられるとそれに伴って点消火スイッチ１４がオフ状態となり、指令操作体１６が突出位置に切り替えられるとそれに伴って点消火スイッチ１４がオン状態となるように連動して切り換わる構成となっている。又、前記前面パネル１５の内部には、指令操作体１６の回転操作に伴って燃焼量調整用のパルス信号を出力するロータリーエンコーダ１７が設けられている。
【００４０】
前記コンロ制御部Ｈは、前記点消火スイッチ１４がオン状態になると対応するバーナへの点火処理を実行し、前記点消火スイッチ１４がオフ状態になるとバーナの消火処理を実行する。又、指令操作体１６の回転操作量に対応するガス量になるようにガス量調整弁９を制御することになる。
【００４１】
このガスコンロＡには、換気装置Ｄに対して換気運転の実行及び停止を指令するための通信手段が備えられ、コンロ制御部Ｈが、複数の加熱手段としての３つのコンロバーナ１及びグリルバーナ２の作動状態に基づいて換気が必要な状態であるか否かを判別して、換気が必要な状態であると判別すると換気運転の実行を、且つ、換気が必要でないと判別すると換気運転の停止を、通信手段にて換気装置Ｄに指令するように構成されている。
【００４２】
すなわち、図１及び図２に示すように、コンロ制御部Ｈからの制御指令に基づいて赤外光を利用して無線式で換気装置Ｄに対して換気運転の実行や停止を指令するための情報を送信する前記通信手段としての通信装置１８が設けられ、換気装置Ｄには、この通信装置１８にて発信される信号を受信する受信部１９が設けられ、換気装置Ｄは、この受信部１９にて受信した情報に基づいて、換気運転を実行したり換気運転を停止する構成となっている。
【００４３】
次に、前記換気装置Ｄの構成について説明する。
換気装置Ｄは、図６に示すように、調理排気を給気して外部に排出することにより換気を行う換気ファン２０と、レンジフードＣの下方側を照明する照明ランプ２１と、換気ファン２０及び照明ランプ２１の作動を制御する換気制御部２２と、手動操作にて運転を指令するための手動操作部２３とが備えられている。前記換気ファン２０は区画形成された給気室Ｒ１内に備えられ、調理排気をフィルター２４を通して給気室Ｒ１内に給気して排気ダクト２５を通して外部に排出するようになっている。又、換気制御部２２は、給気室Ｒ１とは別に設けられる収納空間Ｒ２に収納される。
【００４４】
前記換気制御部２２は、換気ファン２０による換気風量として「強」「弱」の２段階に切り換えることができるように構成され、前記手動操作部２３には、換気運転の停止を指令する切スイッチ２３ａ、排気風量「弱」による換気運転を指令する弱運転指令スイッチ２３ｂ、排気風量「強」による換気運転を指令する強運転指令スイッチ２３ｃ、照明ランプ２１の点灯及び消灯を指令するためのランプスイッチ２３ｄが備えられる。
【００４５】
前記換気制御部２２は、手動操作部２３における各スイッチ２３ａ〜２３ｄの指令に基づいて操作されたスイッチに対応する運転を実行するが、この手動操作部２３による指令以外にも、前記ガスコンロＡの通信装置１８にて発信される信号を受信部１９が受信すると、その受信した情報に基づいて換気運転を実行したり換気運転を停止するように連動換気運転を実行すべく換気ファン２０を制御する構成となっている。尚、受信部１９にて受信した情報による指令と手動操作部２３による指令とが両方あったときは、手動操作部２３による指令が優先して実行される。尚、照明ランプ２１の入切操作は、受信部１９の受信情報とは関わりなくランプスイッチ２３ｄにより行われることになる。
【００４６】
別の加熱調理器としてのガスオーブンＢは、その構成について詳述はしないが、図１に示すように、前面側に被調理物を出し入れするための開閉扉２８が設けられ、この開閉扉２８の横側には、運転開始・停止の指令や加熱量を設定等を指令する操作部２９が設けられており、図示しないガス燃焼式の加熱装置によって調理室内を高温にして種々の加熱調理を行うことができるように構成されている。
【００４７】
そして、図４に示すように、ガスオーブンＢの運転に伴って排出される調理排気の温度を検出する温度検出手段としての排気温サーミスタ３０が、その検出情報をコンロ制御部Ｈに出力するように設けられ、コンロ制御部Ｈが、３つのコンロバーナ１及びグリルバーナ２の作動状態に基づいて換気が必要な状態であるか否かを判別する処理に加えて、この排気温サーミスタ３０の検出情報に基づいて、ガスオーブンＢの運転に伴って換気が必要な状態であるか否かを判別して、３つのコンロバーナ１及びグリルバーナ２の作動状態に基づいて換気が必要な状態であると判別すること及び排気温サーミスタ３０の検出情報に基づいて換気が必要な状態であると判別することのうちの少なくともいずれかの判別を行うと換気運転の実行を、且つ、３つのコンロバーナ１及びグリルバーナ２の作動状態に基づいて換気が必要でないと判別すること及び排気温サーミスタ３０の検出情報に基づいて換気が必要でないと判別することの両者の判別を行うと換気運転の停止を、通信装置１８にて換気装置Ｄに指令するように構成されている。
【００４８】
説明を加えると、前記ガスオーブンＢは、図２に示すように、調理室内で発生した燃焼排ガスや被調理物から発生する煙や臭気等の調理排気を外部に排出させるために、後端側箇所において、装置横幅方向に向けて長尺のオーブン排気口３１が設けられ、このオーブン排気口３１が、前記ガスコンロＡの天板５に形成した排気用開口部４に臨ませる状態で設けられている。調理室内からの調理排気をオーブン排気口３１に導くためのオーブン排気筒３２は、ガスコンロＡに備えられたグリル排気筒３３の後方側に並ぶ状態で設けられている。
【００４９】
説明を加えると、図７（イ）、（ロ）に示すように、前記オーブン排気筒３２は、その下端部がガスオーブン本体部３４における後方側上部に形成されている排気出口部３５に接続される構成となっており、上端部に形成されるオーブン排気口３１の周縁部から左右方向に間隔をあけて延設されている複数の係止用舌片３６が、ガスコンロＡにおいてキッチンカウンターＫに形成された開口に受止め支持するために設けられる平面視矩形状の支持枠体３７の上面に接当する状態で、前記各係止用舌片３６に形成された係合孔３８が支持枠体３７の上面に突出形成された突出部３９に係合して、前後方向の位置が規制される状態で備えられる構成となっている。
【００５０】
又、オーブン排気筒３２の上端部に形成されるオーブン排気口３１は、装置横幅方向の一方側に位置する一部分だけが前後方向に広幅に形成され、その他の部分は前後方向に幅狭に形成されており、図７（ハ）に示すように、この幅狭部分３１ａにグリル排気筒３３が前後方向に重なり合って前後方向にコンパクトに設置することができるように構成されている。そして、ガスコンロＡの天板５に形成された排気用開口部４からは、ガスオーブンＢで発生してオーブン排気筒３２にて導かれる調理排気とグリル部３で発生してグリル排気筒３３にて導かれる調理排気が装置外部に排出されることになる。
【００５１】
そして、図８及び図９に示すように、支持枠体３７の上面に突出形成される突出部３９がオーブン排気口３１の広幅に形成される部分３１ｂに形成され、その突出部３９に排気温サーミスタ３０を取り付けた支持部材４０がネジ止めされる状態で固定されており、排気温サーミスタ３０はオーブン排気口３１から排出される調理排気が通過する箇所に臨むように配置されている。すなわち、前記排気温サーミスタ３０は、オーブン排気口３１から排出される調理排気の温度を検出するように設けられる。
【００５２】
ちなみに、図７及び図８は、オーブン排気筒３２の取り付け状態を理解し易くするために、ガスコンロＡにおける他の部材を省略した斜視図として記載したものである。
【００５３】
そして、前記コンロ制御部Ｈが、排気温サーミスタ３０にて検出される調理排気の温度が運転開始用判定温度を超えた状態においてその調理排気の温度の上昇が上昇用判定時間以上継続すると、ガスオーブンＢの運転に伴って換気が必要な状態であると判別し、且つ、排気温サーミスタ３０にて検出される調理排気の温度が下降用判定時間以上継続して下降したときから換気継続用設定時間が経過する、又は、調理排気の温度が運転停止用判定温度よりも低い温度になっている状態が運転停止用判定時間以上継続すると、換気が必要でないと判別するように構成されている。
【００５４】
又、前記ガスコンロＡには、図４に示すように、前記ガスオーブンＢの加熱能力の違いに応じて、排気温サーミスタ３０の検出情報に基づいて換気が必要な状態であると判別したときにおける換気風量の大きさを指令する風量指令手段としてのオーブン設定スイッチ４１が備えられている。このオーブン用設定スイッチ４１は、ガスオーブンＢの加熱能力が設定値（５．２３ＫＷ）以上であればオン状態に設定され、ガスオーブンＢの加熱能力が設定値未満であればオフ状態に設定される。
【００５５】
尚、このオーブン設定スイッチ４１の操作は、ガスコンロＡがガスオーブンＢよりも先にキッチンカウンターに設置されていれば、ガスオーブンＢが設置されたときに手動操作にて行われ、ガスオーブンＢがガスコンロＡよりも先に設置されていれば、ガスコンロＡが設置されたときに手動で行われることになる。設定される風量としては、ガスオーブンＢの加熱能力が大きいときは調理排気の発生量が多いので必要とされる換気風量も大きいものとなる。具体的には、後述するように、オーブン設定スイッチ４１がオン（ＯＮ）状態であれば換気装置Ｄの「強」運転状態が設定され、オーブン設定スイッチ４１がオフ（ＯＦＦ）状態であれば換気装置Ｄの「弱」運転状態が設定される。
【００５６】
次に、コンロ制御部Ｈによる換気装置Ｄとの連動を行う換気連動制御について、図１０のフローチャートに基づいて具体的に説明する。尚、図示しない電源スイッチが入り操作された運転開始時には、オーブン運転フラグは「０」にリセットされている。
【００５７】
先ず、オーブン運転フラグが「１」にセットされているか否かを判断し、セットされていなければ、排気温サーミスタ３０にて検出されるガスオーブンＢから排出される調理排気の温度が８０℃（運転開始用判定温度の一例）を超えているかを判別し、調理排気の温度が８０℃を超えていれば、その状態において調理排気の温度の上昇が５秒間（上昇用判定時間の一例）以上継続すると、ガスオーブンＢの運転に伴って換気が必要な状態であると判別して、オーブン運転フラグに「１」をセットする（ステップ１，２，３，４）。
【００５８】
オーブン運転フラグに「１」をセットされている状態において、調理排気の温度が７０℃（運転停止用判定温度の一例）よりも低い温度になっている状態が１０秒間（運転停止用判定時間の一例）以上継続すると、ガスオーブンＢの運転に伴って換気が必要な状態ではないと判別して、オーブン運転フラグを「０」にリセットする（ステップ５，８）。
【００５９】
又、ステップ５にて判断が否であるとき、例えば、調理排気の温度が８０℃を超えていない場合や調理排気の温度が８０℃を超えているが排気温度が下降しているような場合等において、排気温サーミスタ３０にて検出される調理排気の温度が１０秒間（下降用判定時間の一例）以上継続して下降すると、そのときから５分間（換気継続用設定時間の一例）が経過すると、ガスオーブンＢの運転に伴って換気が必要な状態ではないと判別して、オーブン運転フラグを「０」にリセットする（ステップ６，７，８）。
【００６０】
つまり、ガスオーブンＢが加熱調理状態であれば、オーブン運転フラグが「１」にセットされ、ガスオーブンＢが加熱調理を停止している状態であれば、オーブン運転フラグが「０」にリセットされることになる。
【００６１】
次に、各入力操作部１０〜１３における操作状態、つまり、点消火スイッチ１４がオン状態であるか否かについての情報を読み込み（ステップ９）、オーブン設定スイッチ４１の操作状態も読み込む（ステップ１０）。そして、これらの読み込まれる情報とオーブン運転フラグの設定状態、並びに、図１１に示すように予め設定されて記憶されている換気運転設定用情報に基づいて、換気装置Ｄに指令するための換気運転内容を設定する（ステップ１１）。
【００６２】
尚、図１１中、オーブンの欄は、オーブン運転フラグが「０」であればＯＦＦに設定され、オーブン運転フラグが「１」であればＯＮに設定されることになる。このオーブンの欄が「ＯＦＦ」に設定されることは、換気が必要でない状態、すなわち、ガスオーブンＢが運転していない状態に対応しており、オーブンの欄が「ＯＮ」に設定されることは、換気が必要である状態、すなわち、ガスオーブンＢが運転している状態に対応する。
【００６３】
前記換気運転設定用情報について説明を加えると、図１１に示すように、各バーナ１ａ，１ｂ，１ｃ，２が全て消火されており、オーブンの欄がＯＦＦに設定されているときには、換気装置Ｄの連動運転は行わない（運転モード１）。又、各バーナ１ａ，１ｂ，１ｃ，２のうちのいずれか１つだけが点火されているとき（運転モード２，３，５，９）、又、高火力バーナ１ｃ以外の他のバーナ１ａ，１ｂ，２のうちの２つのものが点火しているとき（運転モード４，６，７）、各バーナ１ａ，１ｂ，１ｃ，２が全て消火され、オーブンの欄がＯＮに設定され、且つ、オーブン設定スイッチ４１がＯＦＦであるとき（運転モード１８）の夫々の状態においては、換気運転内容として、排気風量「弱」による換気運転となる。
【００６４】
上記したような条件以外の条件、標準バーナ１ａ、小バーナ１ｂ、グリルバーナ２の夫々が点火しているとき（運転モード８）、高火力バーナ１ｃと他のバーナ１ａ，１ｂ，２のうちのいずれかのバーナとが共に点火しているとき（運転モード１０〜１６）、各バーナ１ａ，１ｂ，１ｃ，２が全て消火され、オーブンの欄がＯＮに設定され且つオーブン設定スイッチ４１がＯＮであるとき（運転モード１７）、及び、各バーナ１ａ，１ｂ，１ｃ，２のうちのいずれかが点火しており、オーブンの欄がＯＮに設定されているとき（運転モード１９〜４８）の夫々の状態においては、換気運転内容として、排気風量「強」による換気運転となる。
【００６５】
そして、コンロ制御部Ｈは、上記したようにして設定した換気運転内容を通信装置１８にて送信することにより換気装置Ｄに指令する（ステップ１２）。換気制御部２２は、受信部１９にてその換気運転内容を受信すると、その換気運転内容に対応するように換気ファン２０の作動を制御することになる。
【００６６】
従って、３つのコンロバーナ１及びグリルバーナ２の作動状態に基づいて換気が必要な状態であると判別すること及び排気温サーミスタ３０の検出情報に基づいて換気が必要な状態であると判別することのうちの少なくともいずれかの判別を行うと換気運転の実行を実行する構成となっている（運転モード２〜４８）。又、３つのコンロバーナ１及びグリルバーナ２の作動状態に基づいて換気が必要でないと判別すること及び排気温サーミスタ３０の検出情報に基づいて換気が必要でないと判別することの両者の判別を行うと換気運転の停止を、通信装置１８にて換気装置Ｄに指令する構成となっている（運転モード１）。
【００６７】
又、３つのコンロバーナ１及びグリルバーナ２が全て消火され且つガスオーブンＢだけがＯＮに設定される状態において、オーブン設定スイッチ４１が「ＯＦＦ」であれば換気運転内容として排気風量「弱」による換気運転が指令され（運転モード１８）、オーブン設定スイッチ４１が「ＯＮ」であれば、換気運転内容として排気風量「強」による換気運転が指令されることになり（運転モード１７）、排気温サーミスタ３０の検出情報に基づいて換気が必要な状態であると判別したときにおける換気風量の大きさを指令する構成となっている。
【００６８】
３つのコンロバーナ１及びグリルバーナ２のうちのいずれかが点火されており、且つ、ガスオーブンＢがＯＦＦに設定される状態においては、３つのコンロバーナ１及びグリルバーナ２の夫々の作動状態の違いに応じて、排気風量「弱」による換気運転及び排気風量「強」による換気運転のいずれかに切り換えられるものであり（運転モード２〜１６）、３つのコンロバーナ１及びグリルバーナ２の作動状態に基づいて換気が必要であると判別し且つ排気温サーミスタ３０の検出情報に基づいて換気が必要でないと判別したときにおける換気風量の大きさを、３つのコンロバーナ１及びグリルバーナ２夫々の加熱作動の状態に基づいて設定する構成となっている。
【００６９】
又、この実施形態では、運転開始用判定温度として８０℃、上昇用判定時間として５秒間、下降用判定時間として１０秒間、運転停止用判定温度として７０℃、運転停止用判定時間として１０秒間を夫々例示したが、これらの数値は一例であって、これらの数値に限定されるものではなく、設置される別の加熱調理器の加熱能力その他の仕様の違いに応じて適宜設定して実施することができる。
【００７０】
〔別実施形態〕
以下、別実施形態を列記する。
【００７１】
（１）上記実施形態では、換気装置Ｄが換気風量を「強」と「弱」の２段階に切り換える構成とし、且つ、前記コンロ制御部が前記換気連動制御において換気風量の大きさを２段階に切り換えて設定する構成としたが、換気風量としては、２段階に限らず、３段階以上に切り換えて設定するものでもよく、段階的に切り換える構成に代えて無段階に設定するようにしてもよい。
【００７２】
（２）上記実施形態では、前記加熱調理器がキッチンカウンターに埋め込み装着されるビルトイン形式のコンロにて構成され、前記別の加熱調理器が前記ビルトイン形式のコンロの下方に設置されるビルトイン形式のオーブンにて構成され、前記オーブンにおける調理排気排出用のオーブン排気口３１が前記コンロの天板に形成した排気用開口部に臨ませる状態で設けられる構成としたが、このような構成に限らず、次のような構成としてもよい。
【００７３】
例えば、前記加熱調理器は据え置き形式のガスコンロや電磁調理器等であってもよく、前記別の加熱調理器は据え置き型のガスオーブンＢや電気加熱式オーブン等であってもよい。又、それらの加熱調理器を上下に並べて備える構成でなく、横方向に並べて使用する形態であってもよい。その場合、オーブンにおける調理排気排出用のオーブン排気口３１が前記コンロの天板に形成した排気用開口部とは異なる箇所に設けられる構成としてもよい。
【００７４】
（３）上記実施形態では、前記温度検出手段の検出情報に基づいて換気が必要な状態であると判別したときにおける換気風量の大きさを指令する風量指令手段として、別の加熱調理器の加熱能力が設定値よりも大きい場合と設定値より小さい場合の２つの状態に切り換えるオーブン設定スイッチが加熱調理器としてのガスコンロに備えられる構成としたが、このような構成に代えて、風量指令手段として、換気風量の大きさを３段階以上に切り換えるように指令する構成としてもよく、スイッチに限らずボリューム式等の各種の形式のものを用いることができる。又、このような風量指令手段を備えない構成としてもよい。
【００７５】
（４）上記実施形態では、前記加熱手段の作動状態に基づいて換気が必要な状態であるか否かを判別する構成として、加熱手段としての前記各バーナに対する点消火指令用のスイッチの操作に基いて判別するようにしたが、このような構成に限らず、例えば、前記熱電対による着火状態の検出結果により判別するようにしたり、前記各バーナに対する燃料供給量の大きさに基いて判別する等、各種の形態で換気が必要な状態であるか否かを判別する構成としてもよい。
【００７６】
（５）上記実施形態では、複数の前記加熱手段の作動状態に基づいて換気が必要であると判別し且つ前記温度検出手段の検出情報に基づいて換気が必要でないと判別したときにおける換気風量の大きさを、設定するときには、複数の前記加熱手段しての各バーナに対する点消火指令用のスイッチの夫々の操作に基いて設定するようにしたが、このような構成に代えて、各バーナに対する燃料供給量の大きさの情報に基いて換気風量の大きさを設定するようにしてもよい。
【図面の簡単な説明】
【００７７】
【図１】ガスコンロ及びガスオーブンの正面図
【図２】ガスコンロ及びガスオーブンの側面図
【図３】ガスコンロの斜視図
【図４】ガスコンロの制御ブロック図
【図５】入力操作部の構成を示す側面図
【図６】換気装置の制御ブロック図
【図７】オーブン排気筒の設置状態を示す図
【図８】オーブン排気筒の設置状態を示す図
【図９】排気温サーミスタの取り付け状態を示す図
【図１０】制御動作のフローチャート
【図１１】換気運転の設定状態を示す図
【符号の説明】
【００７８】
１、２        加熱手段
１８          通信手段
３０          温度検出手段
４１          風量設定手段
Ａ            加熱調理器
Ｂ            別の加熱調理器
Ｈ            制御手段
【図１】
2008128495.tif 000003
【図２】
2008128495.tif 000004
【図３】
2008128495.tif 000005
【図４】
2008128495.tif 000006
【図５】
2008128495.tif 000007
【図６】
2008128495.tif 000008
【図７】
2008128495.tif 000009
【図８】
2008128495.tif 000010
【図９】
2008128495.tif 000011
【図１０】
2008128495.tif 000012
【図１１】
2008128495.tif 000013